(57)【要約】【課題】美観に優れ、また被操作機器に到達する信号光量を増加させるよう構成することも可能なリモコン装置を提供する。【解決手段】リモコン装置は、化粧枠１０と、該化粧枠１０に装着されたリモコン本体２０とからなる。このリモコン本体２０は方形盤状であり、前面に複数の操作スイッチ及び液晶表示部を有する。化粧枠１０は、この方形盤状のリモコン本体２０の全側周面を囲むように囲枠部１１を有しており、この囲枠部１１と化粧枠１０の背板部１６とで囲まれた領域がリモコン本体２０を収容するための本体収容部１２となっている。リモコン本体２０の上面には、赤外線透過ガラスよりなる透光部４０が設けられており、導光部１３は、該透光部４０に対面するよう化粧枠１０の上部に配置されている。【選択図】  図１
2005012665.tif 000002
【特許請求の範囲】
【請求項１】
前面に操作スイッチを有した盤状のリモコン本体と、該リモコン本体が嵌合されるリモコン本体の収容部を有した枠とを備えてなるリモコン装置。
【請求項２】
請求項１において、該リモコン本体収容部に対し盤状の該リモコン本体がその背面側から嵌合されることを特徴とするリモコン装置。
【請求項３】
請求項１又は２において、該リモコン本体は方形盤状であり、該枠が方形のリモコン本体収容部を有することを特徴とするリモコン装置。
【請求項４】
請求項３において、該リモコン本体収容部は、盤状のリモコン本体の厚みと略同等の深さを有することを特徴とするリモコン装置。
【請求項５】
請求項１ないし４のいずれか１項において、該リモコン本体は信号光の出射部を有しており、前記枠には、該出射部からの光を導く導光部が設けられていることを特徴とするリモコン装置。
【請求項６】
請求項５において、該導光部は、リモコン本体の該出射部から出射された光をこの出射方向とは異なる方向に出射させるように設けられていることを特徴とするリモコン装置。
【請求項７】
請求項６において、該導光部は、該枠が壁面に取り付けられた状態において該出射部からの信号光を斜め上向きに出射させるように構成されていることを特徴とするリモコン装置。
【発明の詳細な説明】
【０００１】
【発明の属する技術分野】
本発明は、リモコン装置に係り、特にリモコン本体を壁面等に保持させるための部材を有したリモコン装置に関する。
【０００２】
【従来の技術】
トイレルーム等に設置されるリモコン装置は、トイレルーム等の壁面に取り付けられることが多い。特公平１−５０７３０号公報の第３図には、リモコン装置を壁面に対し保持具を介して取り付けることが記載されている。
【０００３】
【特許文献１】
特公平１−５０７３０号公報
【０００４】
【発明が解決しようとする課題】
上記特公平１−５０７３０号公報の保持具は、壁面に固定される背板部と、該背板部の左右両サイドから前方に突設されたＬ字形状部とを有するものであり、リモコン本体は該Ｌ字形状部同士の間に挟持される。
【０００５】
この保持具では、リモコン本体がむき出しになり、美観に劣る。
【０００６】
本発明は、美観を高めることができるリモコン装置を提供することを目的とする。
【０００７】
また、本発明は、その一態様において、信号光を被操作機器に到達させ易いリモコン装置を提供することを目的とする。
【０００８】
【課題を解決するための手段】
本発明のリモコン装置は、前面に操作スイッチを有した盤状のリモコン本体と、該リモコン本体が嵌合されるリモコン本体の収容部を有した枠とを備えてなるものであり、好ましくは、該リモコン本体収容部に対し盤状の該リモコン本体がその背面側から嵌合される。さらに好ましくは、リモコン本体は方形盤状であり、該枠が方形のリモコン本体収容部を有する。特に好ましくは、リモコン本体収容部は、盤状のリモコン本体の厚みと略同等の深さを有する。
【０００９】
かかる本発明のリモコン装置は、リモコン本体を囲む枠を有しており、この枠をリモコン本体とは別異の化粧性の高い材料にて構成することが可能であり、リモコン装置の美観を高めることができる。また、リモコン装置のメーカーが多数種類の意匠を有した枠を製作しておき、消費者が嗜好やトイレルームの壁面意匠に合わせて所望の枠を選択し、外観上の心地良さを得ることも可能である。
【００１０】
なお、リモコン本体収容部の深さをリモコン本体の厚みと略同等とすることにより、盤状のリモコン本体の側面の全体を枠で覆うことができ、リモコン装置の美観が著しく向上する。
【００１１】
本発明では、リモコン本体が信号光の出射部を有しているときには、枠に導光部を設け、該出射部からの信号光が該導光部を経て出射され、被操作機器に到達しうるよう構成することが好ましい。
【００１２】
この場合、信号光をリモコン本体からの信号光の出射方向とは異なる方向、好ましくは斜め上向き方向に出射させることにより、被操作機器とリモコン装置との間に遮光体（例えば人体など）が存在していても被操作機器に信号光を十分に到達させることが可能となる。
【００１３】
【発明の実施の形態】
以下、図面を参照して実施の形態について説明する。図１は実施の形態に係るリモコン装置の斜視図、図２（ａ）は図１のＩＩ−ＩＩ線断面図であり、図２（ｂ）は化粧枠にリモコン本体を装着した状態のＩＩ−ＩＩ線断面を示している。図３は図１のＩＩＩ−ＩＩＩ線断面図である。
【００１４】
この実施の形態のリモコン装置は、トイレルームの温水洗浄装置を赤外線信号光によってリモートコントロールするためのものである。この温水洗浄装置は、便器使用者の臀部に温水を注ぎ掛けてその洗浄を行うと共に、温風を吹き付けて臀部を乾燥させる機能を有する。
【００１５】
このリモコン装置は、化粧枠１０と、該化粧枠１０に装着されたリモコン本体２０とからなる。このリモコン本体２０は方形盤状であり、前面に複数の操作スイッチ及び液晶表示部を有する。
【００１６】
化粧枠１０は、この方形盤状のリモコン本体２０の全側周面を囲むように囲枠部１１を有しており、この囲枠部１１と化粧枠１０の背板部１６とで囲まれた領域がリモコン本体２０を収容するための本体収容部１２となっている。
【００１７】
この囲枠部１１のうち上辺部分にはリモコン本体２０の信号光出射部からの光を通す導光部１３が設けられている。
【００１８】
また、囲枠部１１のうち左右両サイド部分にあっては、リモコン本体２０の側面に対面する部位にストッパ１５が設けられ、このストッパ１５がリモコン本体２０の側面の凹所４５に弾性的に係合してリモコン本体２０を保持しうるよう構成されている。ただし、化粧枠は囲枠部のみからなるものであってもよく、この場合、リモコン本体を囲枠部の裏側から嵌合させてもよい。
【００１９】
このリモコン本体２０のスイッチ構成等について次に詳細に説明する。
【００２０】
図示は省略するが、このリモコン装置によってリモートコントロールされる温水洗浄装置１２は、肛門洗浄用のシャワー洗浄ノズルとビデ洗浄ノズルが設けられている。
【００２１】
図１の通り、このリモコン本体２０の前面の下部には、シャワー洗浄ノズルから温水を噴出させるためのシャワー洗浄用操作スイッチ２１、ビデ洗浄ノズルから温水を噴出させるためのビデ洗浄用操作スイッチ２２、臀部乾燥用の温風を吹き出させるドライスイッチ２３、シャワー洗浄等の作動をストップさせるストップスイッチ２４、及び各洗浄ノズルからの温水噴出強さを調節する洗浄強さ調節ツマミ２５が設置されている。また、このリモコン本体２０の前面の下部は開閉式カバーとなっており、該開閉式カバーの裏側には副操作部が隠蔽されている。この副操作部には、便座温度調節ツマミと温水温度調節ツマミが設けられている。
【００２２】
洗浄強さ調節ツマミ２５の上方には、各洗浄ノズルを前後往復動させて広範囲の洗浄を行わせるワイド洗浄スイッチ２６と、ノズルの位置調節用の前進スイッチ２７及び後退スイッチ２８とが設置されている。
【００２３】
リモコン本体２０の前面上部には、トイレ電装品の状態表示部としての液晶画面３０が設置されている。この液晶画面３０内には、リモコン本体２０の各種スイッチの操作時にリモコン本体２０からの信号が発信したことを点滅によって表示する発信表示部３１と、温水噴出強さを表示する洗浄強さ表示部３２と、シャワー洗浄用操作スイッチ２１又はビデ洗浄用操作スイッチ２２の操作時に点灯する洗浄表示部３３と、ドライスイッチ２４の操作時に「乾燥」の文字と「低」、「中」、「高」のいずれかの文字とが点灯する乾燥表示部３４と、リモコン用電池の残存容量を点灯によって表示する電池表示部３６が表示されている。
【００２４】
また、この液晶画面３０内には、現在の時刻を表示する時刻表示部３５が表示されている。
【００２５】
図２の通り、リモコン本体２０内の上部には信号光を発生させるためのＬＥＤ等の発光素子４１が配置されている。この発光素子４１は、回路基板４２に搭載された、各スイッチの操作信号を処理する回路から信号電流が供給されて発生動作する。
【００２６】
このリモコン本体２０の上面には、赤外線透過ガラスよりなる透光部４０が設けられており、上記発光素子４１はこの透光部４０に対面して配置されている。
【００２７】
この発光素子４１及び透光部４０によって信号光の出射部が構成されている。
【００２８】
前記化粧枠１０に設けられた導光部１３は、リモコン本体２０が本体収容部１２に収容されたときに該透光部４０に対面するよう化粧枠１０の上部に配置されている。この導光部１３は、赤外線透過ガラスよりなり、化粧枠の囲枠部１１の上辺部分を略上下方向に貫通するように化粧枠１０と一体に設けられている。導光部１３の下端面が上記の通り透光部４０に対面し、導光部１３の上側端面は囲枠部１１の外面と面一状となっている。この導光部１３の上側端面は、化粧枠１０が壁面に取り付けられた状態において前方斜め上向きとなるように設けられている。このため、導光部１３から出射する信号光は、壁面に対し前方斜め上向きに出射する。導光部１３から前方斜め上向きに出射された信号光は、トイレルームの壁面上部や天井面等で反射され、温水洗浄装置の信号光受光部に入射する。
【００２９】
なお、この実施の形態では、赤外線透過ガラスよりなる導光部１３の側面に金属アルミなどよりなる反射層が設けられているが、これは省略されてもよい。
【００３０】
図３に詳細に示される通り、ストッパ１５は、囲枠部１１の本体収容部１２に対向する内側面に設けられたものである。このストッパ１５は、囲枠部１１の内側面にコ字形状のスリットを形成することにより本体収容部１２に出入りする方向（図３の左右方向）に弾性変形可能に形成された弾性舌片よりなる。このストッパ１５には、図３の通り、舌片の先端部において本体収容部１２側に突出する凸部が設けられており、この凸部がリモコン本体２０の側面の凹部４５に係合可能となっている。
【００３１】
このように構成されたリモコン装置においては、リモコン本体２０が化粧枠１０に収容され、リモコン本体２０の側周面の略全体が囲枠部１１で覆われる。この化粧枠１０として、美麗な色調のもの、半透明のもの、トイレルームの壁面の色調と調和する色調のもの等を選択することにより、リモコン装置やその周囲近傍の美観を著しく高めることができる。
【００３２】
また、この実施の形態では、リモコン本体２０の透光部４０からの信号光が導光部１３を通って壁面に対し前方斜め上向きに出射される。このため、リモコン本体２０から略鉛直上方に信号光を出射する場合に比べ、温水洗浄装置の信号光受光部に到達する信号光量が増加し、温水洗浄装置を確実にリモートコントロールすることが可能となる。
【００３３】
上記実施の形態は本発明の一例であり、本発明は図示以外の形態をもとりうる。例えば、リモコン本体から前方に向って照射された光を導光部を介して斜め上向きに照射するようにしてもよい。リモコン本体のスイッチは図示以外のものであってもよい。本発明は、トイレルーム用リモコン装置以外にも適用できる。
【００３４】
【発明の効果】
以上の通り、本発明によると、美観に優れ、また被操作機器に到達する信号光量を増加させるよう構成することも可能なリモコン装置が提供される。
【図面の簡単な説明】
【図１】実施の形態に係るリモコン装置の斜視図である。
【図２】（ａ）図は図１のＩＩ−ＩＩ線断面図であり、（ｂ）図は化粧枠にリモコン本体を装着した状態のＩＩ−ＩＩ線断面を示している。
【図３】図１のＩＩＩ−ＩＩＩ線断面図である。
【符号の説明】
１０  化粧枠
１１  囲枠部
１２  本体収容部
１３  導光部
１５  ストッパ
２０  リモコン本体
４０  透光部
４５  凹部
【図１】
2005012665.tif 000003
【図２】
2005012665.tif 000004
【図３】
2005012665.tif 000005